(57)【要約】【課題】  陳列室内の温度制御を的確に行うことができるショーケースを提供する。【解決手段】  ショーケース１は、断熱壁３内に陳列室１１を構成し、この陳列室１１内に商品陳列用の棚装置４を架設して成るものであって、棚板２２上の商品を加熱するための電気ヒータと、棚装置４上方の陳列室１１内空気温度である棚上部温度を検出する棚上部センサ４４と、この棚上部センサ４４の出力に基づいて電気ヒータの通電を制御する制御装置とを備える。【選択図】図１
2006010099.tif 000002
【特許請求の範囲】
【請求項１】
断熱壁内に陳列室を構成し、該陳列室内に商品陳列用の棚を架設して成るショーケースにおいて、
前記棚上の商品を加熱するためのヒータと、
前記棚上方の前記陳列室内空気温度である棚上部温度を検出する棚上部センサと、
該棚上部センサの出力に基づいて前記ヒータの通電を制御する制御装置とを備えたことを特徴とするショーケース。
【請求項２】
前記制御装置は、加温用温度設定値と前記棚上部センサが検出する棚上部温度に基づいて前記ヒータの通電を制御することを特徴とする請求項１のショーケース。
【請求項３】
前記棚の温度である棚温度を検出する棚センサを備え、
前記制御装置は、加温用温度設定値と前記棚センサが検出する棚温度に基づいて前記ヒータの通電を制御すると共に、前記棚上部センサが検出する棚上部温度に応じて前記加温用温度設定値を補正することを特徴とする請求項１のショーケース。
【請求項４】
前記制御装置は、前記棚上部センサが検出する棚上部温度の所定時間当たりの平均値に応じて前記加温用温度設定値を補正することを特徴とする請求項３のショーケース。
【請求項５】
前記制御装置は、前記棚センサが検出する棚温度と前記棚上部センサが検出する棚上部温度との差に基づいて所定の警報動作を実行することを特徴とする請求項３又は請求項４のショーケース。
【請求項６】
前記制御装置は、前記棚上部センサが検出する棚上部温度が前記加温用温度設定値に達した場合、前記棚センサが検出する棚温度に拘わらず前記ヒータへの通電を断つことを特徴とする請求項３乃至請求項５のショーケース。
【請求項７】
前記棚は前記陳列室内に複数段架設されると共に、前記制御装置は、何れかの棚の前記棚温度、及び／又は、前記棚上部温度に基づいて前記ヒータの通電を制御し、又は、前記警報動作を実行することを特徴とする請求項１乃至請求項６のショーケース。
【請求項８】
前記棚は前記陳列室内に複数段架設されると共に、前記制御装置は、各棚の前記棚温度、及び／又は、前記棚上部温度に基づいて当該棚の前記ヒータの通電を制御し、又は、前記警報動作を実行することを特徴とする請求項１乃至請求項６のショーケース。
【請求項９】
断熱壁内に陳列室を構成し、該陳列室内に商品陳列用の棚を架設して成るショーケースにおいて、
前記棚上の商品を加熱するためのヒータと、
外気温度を検出する外気温センサと、
該外気温センサの出力に基づいて前記ヒータの通電を制御する制御装置とを備えたことを特徴とするショーケース。
【請求項１０】
前記棚の温度である棚温度を検出する棚センサを備え、
前記制御装置は、加温用温度設定値と前記棚センサが検出する棚温度に基づいて前記ヒータの通電を制御すると共に、前記外気温センサが検出する外気温度に応じて前記加温用温度設定値を補正することを特徴とする請求項９のショーケース。
【請求項１１】
前記制御装置は、前記外気温センサが検出する外気温度の所定時間当たりの平均値に応じて前記加温用温度設定値を補正することを特徴とする請求項１０のショーケース。
【請求項１２】
断熱壁内に陳列室を構成し、該陳列室内に商品陳列用の棚を架設すると共に、冷却装置の冷却器と熱交換した冷気を、送風機により前記陳列室の開口上縁の吐出口から吐出し、開口下縁の吸込口から吸い込んで当該開口に冷気エアーカーテンを形成して成るショーケースにおいて、
前記陳列室内の空気温度である庫内温度を検出する庫内センサと、
前記吸込口に吸い込まれる冷気の温度である吸込口温度を検出する吸込口センサと、
前記庫内センサと前記吸込口センサの出力に基づいて前記庫内温度を制御する制御装置とを備えたことを特徴とするショーケース。
【請求項１３】
前記制御装置は、冷却用温度設定値と前記庫内センサが検出する庫内温度に基づいて前記冷却装置を制御すると共に、前記吸込口センサが検出する吸込口温度に応じて前記冷却用温度設定値を補正することを特徴とする請求項１２のショーケース。
【請求項１４】
前記制御装置は、前記吸込口センサが検出する吸込口温度に応じて前記送風機の回転数を制御することを特徴とする請求項１２又は請求項１３のショーケース。
【請求項１５】
前記制御装置は、前記吸込口センサが検出する吸込口温度に基づいて所定の警報動作を実行することを特徴とする請求項１２乃至請求項１４のショーケース。
【請求項１６】
前記制御装置は、前記庫内センサが検出する庫内温度と前記吸込口センサが検出する吸込口温度との差に基づいて所定の警報動作を実行することを特徴とする請求項１５のショーケース。
【請求項１７】
断熱壁内に陳列室を構成し、該陳列室内に商品陳列用の棚を架設すると共に、冷却装置の冷却器と熱交換した冷気を、送風機により前記陳列室の開口上縁の吐出口から吐出し、開口下縁の吸込口から吸い込んで当該開口に冷気エアーカーテンを形成して成るショーケースにおいて、
前記陳列室内の空気温度である庫内温度を検出する庫内センサと、
前記棚上方の前記陳列室内空気温度である棚上部温度を検出する棚上部センサと、
前記庫内センサと前記棚上部センサの出力に基づいて前記庫内温度を制御する制御装置とを備えたことを特徴とするショーケース。
【請求項１８】
前記制御装置は、前記棚上部センサが検出する棚上部温度に応じて前記送風機の回転数を制御することを特徴とする請求項１７のショーケース。
【請求項１９】
前記制御装置は、前記庫内センサが検出する庫内温度と前記棚上部センサが検出する棚上部温度との差に基づいて所定の警報動作を実行することを特徴とする請求項１７又は請求項１８のショーケース。
【請求項２０】
前記棚の温度である棚温度を検出する棚センサを備え、
前記制御装置は、前記棚センサが検出する棚温度が所定値以上に上昇した場合、前記陳列室内を急速冷却することを特徴とする請求項１２乃至請求項１９のショーケース。
【発明の詳細な説明】
【技術分野】
【０００１】
本発明は、断熱壁内に陳列室を構成し、この陳列室内に商品陳列用の棚を架設して成るショーケースに関するものである。
【背景技術】
【０００２】
従来よりスーパーマーケットやコンビニエンスストアなどに設置されるオープンタイプのショーケース（オープンショーケース）は、断熱壁の内側に間隔を存して設けた仕切板との間にダクトを構成し、仕切板の内側には前面に開口した陳列室を構成すると共に、ダクトには冷却装置の冷却器と送風機を設置し、この冷却器と熱交換した冷気を送風機により、ダクトから陳列室内に吹き出す構成とされている。
【０００３】
この場合、陳列室の開口上縁には冷気吐出口が形成されると共に、開口下縁には冷気吸込口が形成され、何れもダクトに連通されている。そして、この開口上縁の冷気吐出口から冷気を吹き出し、エアーカーテンを形成しつつ陳列室内を冷却し、吹き出された冷気は開口下縁の冷気吸込口から吸引するものであった。
【０００４】
更に、この陳列室内には、複数段の棚が架設される。棚は、内部に棚ダクト（冷気通路）が構成されており、後端は断熱箱体の背方における背面ダクトと連通している。また、棚の前端には、棚ダクトと連通する冷気吐出口が形成されている。これにより、背面ダクト内を上昇した冷気を、連通部を介して棚ダクト内に引き込み、該棚の前端に形成された冷気吐出口より吐出することにより、該棚下方の陳列室内の商品を冷却する（冷蔵領域。特許文献１参照）。尚、当該棚上方の陳列室内の商品は、棚に取り付けた電気ヒータにて加温するものであった（温蔵領域）。
【特許文献１】特開２０００−２５８０３１号公報
【発明の開示】
【発明が解決しようとする課題】
【０００５】
このようなショーケースでは、冷却時の温度制御は陳列室内上部等に設けた庫内センサが検出する陳列室内の温度である庫内温度に基づいて冷却装置を制御することにより行い、加温時の制御は棚内部に取り付けた棚センサが検出する棚温度に基づいて電気ヒータの通電を制御することにより行われていた。
【０００６】
しかしながら、ショーケースの陳列室内には当該ショーケースが設置された環境である外気温度や空気の対流（風）等の外乱が強く影響する。また、陳列室内に補充される商品自体の温度等も影響するため、前述の如く庫内センサや棚センサ単独で冷却制御や加温制御を行うと、どうしても的確な温度制御を行えなくなる問題が発生していた。
【０００７】
本発明は、係る従来の技術的課題を解決するために成されたものであり、陳列室内の温度制御を的確に行うことができるショーケースを提供するものである。
【課題を解決するための手段】
【０００８】
請求項１の発明のショーケースは、断熱壁内に陳列室を構成し、この陳列室内に商品陳列用の棚を架設して成るものであって、棚上の商品を加熱するためのヒータと、棚上方の陳列室内空気温度である棚上部温度を検出する棚上部センサと、この棚上部センサの出力に基づいてヒータの通電を制御する制御装置とを備えたことを特徴とする。
【０００９】
請求項２の発明のショーケースは、上記において制御装置は、加温用温度設定値と棚上部センサが検出する棚上部温度に基づいてヒータの通電を制御することを特徴とする。
【００１０】
請求項３の発明のショーケースは、請求項１において棚の温度である棚温度を検出する棚センサを備え、制御装置は、加温用温度設定値と棚センサが検出する棚温度に基づいてヒータの通電を制御すると共に、棚上部センサが検出する棚上部温度に応じて加温用温度設定値を補正することを特徴とする。
【００１１】
請求項４の発明のショーケースは、上記において制御装置は、棚上部センサが検出する棚上部温度の所定時間当たりの平均値に応じて加温用温度設定値を補正することを特徴とする。
【００１２】
請求項５の発明のショーケースは、請求項３又は請求項４において制御装置は、棚センサが検出する棚温度と棚上部センサが検出する棚上部温度との差に基づいて所定の警報動作を実行することを特徴とする。
【００１３】
請求項６の発明のショーケースは、請求項３乃至請求項５において制御装置は、棚上部センサが検出する棚上部温度が加温用温度設定値に達した場合、棚センサが検出する棚温度に拘わらずヒータへの通電を断つことを特徴とする。
【００１４】
請求項７の発明のショーケースは、上記各発明において棚は陳列室内に複数段架設されると共に、制御装置は、何れかの棚の棚温度、及び／又は、棚上部温度に基づいてヒータの通電を制御し、又は、警報動作を実行することを特徴とする。
【００１５】
請求項８の発明のショーケースは、請求項１乃至請求項６において棚は陳列室内に複数段架設されると共に、制御装置は、各棚の棚温度、及び／又は、棚上部温度に基づいて当該棚のヒータの通電を制御し、又は、警報動作を実行することを特徴とする。
【００１６】
請求項９の発明のショーケースは、断熱壁内に陳列室を構成し、この陳列室内に商品陳列用の棚を架設して成るものであって、棚上の商品を加熱するためのヒータと、外気温度を検出する外気温センサと、この外気温センサの出力に基づいてヒータの通電を制御する制御装置とを備えたことを特徴とする。
【００１７】
請求項１０の発明のショーケースは、上記において棚の温度である棚温度を検出する棚センサを備え、制御装置は、加温用温度設定値と棚センサが検出する棚温度に基づいてヒータの通電を制御すると共に、外気温センサが検出する外気温度に応じて加温用温度設定値を補正することを特徴とする。
【００１８】
請求項１１の発明のショーケースは、上記において制御装置は、外気温センサが検出する外気温度の所定時間当たりの平均値に応じて加温用温度設定値を補正することを特徴とする。
【００１９】
請求項１２の発明のショーケースは、断熱壁内に陳列室を構成し、この陳列室内に商品陳列用の棚を架設すると共に、冷却装置の冷却器と熱交換した冷気を、送風機により陳列室の開口上縁の吐出口から吐出し、開口下縁の吸込口から吸い込んで当該開口に冷気エアーカーテンを形成して成るものであって、陳列室内の空気温度である庫内温度を検出する庫内センサと、吸込口に吸い込まれる冷気の温度である吸込口温度を検出する吸込口センサと、庫内センサと吸込口センサの出力に基づいて庫内温度を制御する制御装置とを備えたことを特徴とする。
【００２０】
請求項１３の発明のショーケースは、上記において制御装置は、冷却用温度設定値と庫内センサが検出する庫内温度に基づいて冷却装置を制御すると共に、吸込口センサが検出する吸込口温度に応じて冷却用温度設定値を補正することを特徴とする。
【００２１】
請求項１４の発明のショーケースは、請求項１２又は請求項１３において制御装置は、吸込口センサが検出する吸込口温度に応じて送風機の回転数を制御することを特徴とする。
【００２２】
請求項１５の発明のショーケースは、請求項１２乃至請求項１４において制御装置は、吸込口センサが検出する吸込口温度に基づいて所定の警報動作を実行することを特徴とする。
【００２３】
請求項１６の発明のショーケースは、上記において制御装置は、庫内センサが検出する庫内温度と吸込口センサが検出する吸込口温度との差に基づいて所定の警報動作を実行することを特徴とする。
【００２４】
請求項１７の発明のショーケースは、断熱壁内に陳列室を構成し、この陳列室内に商品陳列用の棚を架設すると共に、冷却装置の冷却器と熱交換した冷気を、送風機により陳列室の開口上縁の吐出口から吐出し、開口下縁の吸込口から吸い込んで当該開口に冷気エアーカーテンを形成して成るものであって、陳列室内の空気温度である庫内温度を検出する庫内センサと、棚上方の陳列室内空気温度である棚上部温度を検出する棚上部センサと、庫内センサと棚上部センサの出力に基づいて庫内温度を制御する制御装置とを備えたことを特徴とする。
【００２５】
請求項１８の発明のショーケースは、上記において制御装置は、棚上部センサが検出する棚上部温度に応じて送風機の回転数を制御することを特徴とする。
【００２６】
請求項１９の発明のショーケースは、請求項１７又は請求項１８において制御装置は、庫内センサが検出する庫内温度と棚上部センサが検出する棚上部温度との差に基づいて所定の警報動作を実行することを特徴とする。
【００２７】
請求項２０の発明のショーケースは、請求項１２乃至請求項１９において棚の温度である棚温度を検出する棚センサを備え、制御装置は、棚センサが検出する棚温度が所定値以上に上昇した場合、陳列室内を急速冷却することを特徴とする。
【発明の効果】
【００２８】
請求項１の発明では、断熱壁内に陳列室を構成し、この陳列室内に商品陳列用の棚を架設して成るショーケースにおいて、棚上の商品を加熱するためのヒータと、棚上方の陳列室内空気温度である棚上部温度を検出する棚上部センサと、この棚上部センサの出力に基づいてヒータの通電を制御する制御装置とを備えているので、例えば、請求項２の如く制御装置が、加温用温度設定値と棚上部センサが検出する棚上部温度に基づいてヒータの通電を制御することにより、外気温度や外気侵入等の影響を考慮し、棚上の商品を的確に加温する可能となる。
【００２９】
また、例えば請求項３の如く棚の温度である棚温度を検出する棚センサを備え、制御装置が、加温用温度設定値と棚センサが検出する棚温度に基づいてヒータの通電を制御すると共に、棚上部センサが検出する棚上部温度に応じて加温用温度設定値を補正するようにすれば、棚温度のみならず棚上方の陳列室内空気の温度も考慮してヒータの通電を制御し、棚上の商品を一層円滑且つ的確に加温することができるようになる。
【００３０】
特に、請求項４の発明の如く制御装置が、棚上部センサが検出する棚上部温度の所定時間当たりの平均値に応じて加温用温度設定値を補正するようにすれば、一時的な棚上部温度の変動を排除して安定した加温制御を実現することができる。
【００３１】
また、請求項５の発明の如く制御装置が、棚センサが検出する棚温度と棚上部センサが検出する棚上部温度との差に基づいて所定の警報動作を実行するようにすれば、外気温度や外気侵入等の影響で棚温度と棚上部温度に著しい差が生じている場合等に警報して異常を報知することができるようになる。
【００３２】
また、請求項６の発明の如く制御装置が、棚上部センサが検出する棚上部温度が加温用温度設定値に達した場合、棚センサが検出する棚温度に拘わらずヒータへの通電を断つようにすれば、何らかの原因で棚上部温度が先に加温用温度設定値に達した場合にヒータへの通電を断ち、それ以上の無用な加熱を防止することができるようになる。
【００３３】
また、請求項７の発明の如く棚が陳列室内に複数段架設されている場合に、制御装置が、何れかの棚の棚温度、及び／又は、棚上部温度に基づいてヒータの通電を制御し、又は、警報動作を実行するようにすれば、センサ数を削減してコストの低減を図ることができるようになる。逆に、請求項８の発明の如く制御装置が、各棚の棚温度、及び／又は、棚上部温度に基づいて当該棚のヒータの通電を制御し、又は、警報動作を実行するようにすれば、各棚毎により精密な加温制御を実現することが可能となる。
【００３４】
請求項９の発明では、断熱壁内に陳列室を構成し、この陳列室内に商品陳列用の棚を架設して成るショーケースにおいて、棚上の商品を加熱するためのヒータと、外気温度を検出する外気温センサと、この外気温センサの出力に基づいてヒータの通電を制御する制御装置とを備えているので、例えば請求項１０の如く棚の温度である棚温度を検出する棚センサを備え、制御装置が、加温用温度設定値と棚センサが検出する棚温度に基づいてヒータの通電を制御すると共に、外気温センサが検出する外気温度に応じて加温用温度設定値を補正するようにすれば、棚温度のみならず外気温度も考慮してヒータの通電を制御し、棚上の商品を円滑且つ的確に加温することができるようになる。
【００３５】
特に、請求項１１の発明の如く制御装置が、外気温センサが検出する外気温度の所定時間当たりの平均値に応じて加温用温度設定値を補正するようにすれば、一時的な外気温度の変動を排除して安定した加温制御を実現することができる。
【００３６】
請求項１２の発明では、断熱壁内に陳列室を構成し、この陳列室内に商品陳列用の棚を架設すると共に、冷却装置の冷却器と熱交換した冷気を、送風機により陳列室の開口上縁の吐出口から吐出し、開口下縁の吸込口から吸い込んで当該開口に冷気エアーカーテンを形成して成るショーケースにおいて、陳列室内の空気温度である庫内温度を検出する庫内センサと、吸込口に吸い込まれる冷気の温度である吸込口温度を検出する吸込口センサと、庫内センサと吸込口センサの出力に基づいて庫内温度を制御する制御装置とを備えているので、例えば、請求項２の如く制御装置が、冷却用温度設定値と庫内センサが検出する庫内温度に基づいて冷却装置を制御すると共に、吸込口センサが検出する吸込口温度に応じて冷却用温度設定値を補正するようにすれば、吸込口温度から外乱による冷気エアーカーテンの乱れ等を考慮し、冷却装置を制御して陳列室内の商品を円滑且つ的確に冷却することができるようになる。
【００３７】
特に、請求項１４の発明の如く制御装置が、吸込口センサが検出する吸込口温度に応じて送風機の回転数を制御することで、冷気エアーカーテンの乱れを補正するように送風機の回転数を制御することにより、外気の侵入による冷却性能の悪化を防止若しくは抑制することができる。
【００３８】
また、請求項１５の発明の如く制御装置が、吸込口センサが検出する吸込口温度に基づいて所定の警報動作を実行するようにすれば、例えば、請求項１６の如く庫内センサが検出する庫内温度と吸込口センサが検出する吸込口温度との差に基づいて所定の警報動作を実行することにより、外乱による冷気エアーカーテンの影響で陳列室内の冷却状態が悪化していることを報知することができるようになる。
【００３９】
請求項１７の発明では、断熱壁内に陳列室を構成し、この陳列室内に商品陳列用の棚を架設すると共に、冷却装置の冷却器と熱交換した冷気を、送風機により陳列室の開口上縁の吐出口から吐出し、開口下縁の吸込口から吸い込んで当該開口に冷気エアーカーテンを形成して成るショーケースにおいて、陳列室内の空気温度である庫内温度を検出する庫内センサと、棚上方の陳列室内空気温度である棚上部温度を検出する棚上部センサと、庫内センサと棚上部センサの出力に基づいて庫内温度を制御する制御装置とを備えているので、例えば、請求項１８の如く制御装置が、棚上部センサが検出する棚上部温度に応じて送風機の回転数を制御することにより、実際に商品が存在する棚上方の陳列室内空気温度によって冷気エアーカーテン風量及び陳列室内への風量の制御を行い、外乱の影響を抑制することができるようになる。
【００４０】
また、請求項１９の発明の如く制御装置が、庫内センサが検出する庫内温度と棚上部センサが検出する棚上部温度との差に基づいて所定の警報動作を実行するようにすれば、外乱によって実際に商品が存在する棚上方の陳列室内空気温度が異常となっている場合に、これを報知することができるようになる。
【００４１】
そして、請求項２０の発明の如く制御装置が、棚センサが検出する棚温度が所定値以上に上昇した場合、陳列室内を急速冷却するようにすれば、商品の補充等で棚温度が上昇したことで急冷を行い、補充商品を迅速に冷却することができようになる。
【発明を実施するための最良の形態】
【００４２】
以下、本発明の実施形態を図面に基づき詳細に説明する。図１は本発明を適用した実施例のショーケース１の側面図を示している。実施例のショーケース１はスーパーマーケット等の店舗に設置される冷／温使用可能なオープンショーケースであり、前面に開口する断面略コ字状の断熱壁３と、その両側に取り付けられる図示しない側板によって本体が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。
【００４３】
また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００４４】
背面ダクト９の上端は陳列室１１の前面開口上縁に位置する上部冷気吐出口１６に連通し、下部ダクト１４の前端は陳列室１１の前面開口下縁に位置する冷気吸込口１７に連通している。また、デッキパン１０の下方の下部ダクト１４内には冷気送給用の送風機１９が配設され、陳列室１１後方の背面ダクト９内には冷却装置の冷凍サイクルを構成する冷却器１５が縦設されている。
【００４５】
陳列室１１内には本発明における棚となる棚装置４が複数段、本実施例では上下に５段架設されている。各棚装置４は、後端に後方に突出する鉤状の爪を有した左右一対のブラケット２１、２１と、このブラケット２１、２１上に差し渡して取り付けられた棚板２２と、この棚板２２の下面に取り付けられた加温用の図示しない電気ヒータ（ヒータ）とから構成されている。
【００４６】
そして、陳列室１１内の背面パネル６の前面両側に取り付けられた棚支柱２３、２３の係合孔に前記ブラケット２１の爪を係脱自在に係合させることにより、各棚装置４は陳列室１１内において上下位置（高さ）を変更可能に架設されている。
【００４７】
次に、５は棚ダクト部材である。この棚ダクト部材５内には棚ダクトが構成されており、この棚ダクトの前端は棚ダクト部材５の前端において斜め前下方に開口する棚下冷気吐出口２７に連通され、後端は冷気導入口にて開口している。また、この棚ダクト部材５には冷気導入口の上側にて前後方向に移動自在に取り付けられたダンパー部材が設けられている。
【００４８】
一方、各棚装置４・・・の左右のブラケット２１、２１には上記棚ダクト部材５が係脱自在にそれぞれ係合する保持レールが前後にそれぞれ形成されている。そして、この保持レールに差し込むかたちで棚ダクト部材５を前方からブラケット２１、２１間に着脱自在に取り付ける。この状態で、棚ダクト部材５は棚装置４の棚板２２下側に位置し、前端の棚下冷気吐出口２７は陳列室１１の前面開口部において下方に開口することになる。
【００４９】
他方、背面パネル６には移動形成可能な連通部が構成されており、棚ダクト部材５の後端の冷気導入口をこの連通部に対応させ、内部の棚ダクトを背面ダクト９に連通させる。ダンパー部材は背面ダクト９に突出し、連通部の上側において背面ダクト９を塞ぐことができるように構成されている。
【００５０】
そして、例えば棚ダクト部材５を上から２段目の棚装置４に取り付けるとすると、先ずその後方に位置して前記連通部を構成し、その状態で上から２段目の棚装置４に棚ダクト部材５を取り付け、その冷気導入口を連通部に対応させる。そして、陳列室１１内全体を冷蔵使用とする場合には、ダンパー部材を最も前方に移動させ、背面ダクト９より前に位置させる。
【００５１】
この状態で、送風機１９が運転されると、冷却器１５を熱交換した冷気は背面ダクト９内を上昇し、上部冷気吐出口１６から吐出される。吐出された冷気は陳列室１１の前面開口部に冷気エアーカーテンを構成しながら陳列室１１内を冷却する。そして、冷気吸込口１７から下部ダクト１４に吸引され、再び送風機１９に吸い込まれる循環を繰り返す。これによって、陳列室１１内の全域が冷蔵温度に冷却され、全棚板２２上の商品が冷却されることになる。
【００５２】
次に、上から２段目の棚装置４から上を温蔵領域として温蔵使用とし、下を冷蔵領域として冷蔵使用とする場合には、ダンパー部材を最も後方に移動させ、最上段及び２段目の棚装置４、４の電気ヒータを発熱させる。尚、後述する如く各棚装置４には棚ダクト部材５が取り付けられたことを検出する棚スイッチが設けられており、棚ダクト部材５が取り付けられ、棚スイッチがＯＮした場合には当該棚装置４を含むその上方の全ての棚装置４の電気ヒータに通電されるようになる。そして、ダンパー部材は連通部より上に向かう冷気を遮断するので、上部冷気吐出口１６からの冷気吐出は無くなり、代わりに電気ヒータにて加熱されるようになるので、上から２段目の棚装置４から上の陳列室１１内は温蔵領域となる。
【００５３】
他方、ダンパー部材に衝突した冷気は前方に曲がり、連通部から棚ダクト内に入る。そして、棚ダクト部材５前端の棚下冷気吐出口２７から下方に向けて吐出されるようになる。棚下冷気吐出口２７から吐出された冷気は２段目の棚装置４より下方の陳列室１１の前面開口部に同様の冷気エアーカーテンを構成しながら２段目の棚装置４より下方の陳列室１１内を循環して冷却した後、冷気吸込口１７から吸い込まれる。これにより、２段目の棚装置４より下方の陳列室１１内が冷蔵領域となる。
【００５４】
尚、他の段の棚装置４に棚ダクト部材５を取り付けた場合にも同様である。また、陳列室１１の全体を温蔵領域とする場合は、冷却装置及び送風機１９を停止し、全段の棚装置の電気ヒータを発熱させて棚板２２上の商品を加温することになる。
【００５５】
次に、図２はショーケース１の制御装置３１のブロック図を示している。制御装置３１は汎用のマイクロコンピュータが搭載された制御基板３２と、この制御基板３２に接続され、各種設定スイッチや前記棚スイッチ、ランプなどを備えた表示基板３３、３４、リレー基板３５、トランス３６から構成されている。前記制御基板３２には前記各棚装置４・・の電気ヒータの通電を制御するリレーや冷却装置の図示しないコンプレッサ、前記送風機１９の運転を制御するリレーの他、警報機（ブザーやＬＥＤ等）も接続されている。
【００５６】
一方、ショーケース１の陳列室１１内天井部には、陳列室１１内の温度である庫内温度を検出する庫内センサ４１が設けられている。尚、前記棚ダクト部材５を取り付けて冷蔵領域と温蔵領域を構成する場合のために、それに加えて最下段の棚装置４とその上の棚装置４の間における陳列室１１内背部にも庫内センサ４１を設けるが、以後の説明では天井部のものを代表して説明する。また、前記各棚装置４・・・の内部には当該棚装置４（棚板２２）の温度である棚温度を検出する棚センサ４２がそれぞれ設けられている。更に、冷気吸込口１７には当該冷気吸込口１７に吸い込まれる冷気或いは吸い込まれた冷気の温度である吸込口温度を検出する吸込口センサ４３が設けられている。
【００５７】
また、各棚装置４・・・それぞれの上方における陳列室１１内には、その部分の空気温度である棚上部温度を検出する棚上部センサ４４がそれぞれ設けられている。更に、ショーケース１の陳列室１１外の適所には、当該ショーケース１が設置された場所の周囲の温度である外気温度を検出する外気温センサ４５も設けられ、これら各センサ４１〜４５は制御装置３１の制御基板３２に接続されている。
【００５８】
以上の構成で、次に図３乃至図１０のフローチャートを参照しながらショーケース１の制御動作を説明する。図３乃至図１０は制御装置３１の前記マイクロコンピュータのプログラムを示しており、図３のモード判定フローチャートのステップＳ１で冷却制御か加温制御かを判断する。加温制御は陳列室１１内全体を加温（温蔵）して使用する制御であり、前記設定スイッチで加温制御が設定されているものとすると、ステップＳ２で全段制御か個別制御かを判断する。尚、前記棚ダクト部材５は最上段の棚装置４に取り付けておくものとする。そして、この場合は全段制御が設定されているものとすると、ステップＳ３で全段制御のサブルーチンを実行する。
【００５９】
（１）加温制御・全段制御
図４のフローチャートはこの全段制御のサブルーチンを示している。加温制御における全段制御では、例えば最上段の棚装置４の棚センサ４２及びその上方の棚上部センサ４４が制御に使用され、この棚センサ４２、棚上部センサ４４を用いて全ての棚装置４の電気ヒータの通電を制御することになる。即ち、図４のステップＳ１０で制御装置３１は当該棚装置４より上方の棚装置４の前記棚スイッチがＯＦＦしているか判断し、ＯＮしていればステップＳ１１に進み、当該棚装置４の棚スイッチがＯＮしているか判断する。棚ダクト部材５は最上段の棚装置４に取り付けられているのでステップＳ１０、ステップＳ１１からステップＳ１２に進み、当該最上段の棚装置４の棚センサ４２が異常か否か判断する。
【００６０】
異常でなければステップＳ１３に進み、今度は当該棚装置４の上部の棚上部センサ４４が異常か否か判断し、異常でなければステップＳ１４に進んで現在各棚装置４の電気ヒータに通電（ＯＮ）中か否か判断する。通電していなければステップＳ１５に進んで最上段の棚センサ４２が検出する棚温度が加温用温度設定値−ディファレンシャル以下か否か判断し、以下であればステップＳ１６でリレーＯＮサブルーチンを実行し、ステップＳ１７で全棚装置４の電気ヒータのリレーをＯＮして電気ヒータに通電し、加温運転を開始する（ステップＳ１８）。
【００６１】
ステップＳ１４で電気ヒータが通電中であるときはステップＳ１９に進み、連続ＯＮ時間積算サブルーチンを実行し、ステップＳ２０で連続ＯＮ時間が設定時間よりも長いか否か判断する。設定時間に達していなければステップＳ２１に進み、最上段の棚センサ４２が検出する棚温度が加温用温度設定値−ディファレンシャル以上か否か判断し、以下であればステップＳ１６に進んでリレーＯＮサブルーチンを実行し、ステップＳ１７で全棚装置４の電気ヒータのリレーをＯＮして電気ヒータへの通電を維持する。
【００６２】
ステップＳ２１で最上段の棚センサ４２が検出する棚温度が加温用温度設定値−ディファレンシャル以上となった場合、制御装置３１はステップＳ２２に進んでリレーＯＦＦサブルーチンを実行し、ステップＳ２３で全棚装置４の電気ヒータのリレーをＯＦＦして電気ヒータへの通電を停止し、加温運転を停止する（ステップＳ２４）。そして、ステップＳ１５で最上段の棚センサ４２が検出する棚温度が加温用温度設定値−ディファレンシャル以上であればステップＳ２２に進んでリレーＯＦＦサブルーチンを実行し、ステップＳ２３で全棚装置４の電気ヒータのリレーをＯＦＦして電気ヒータへの通電を停止した状態を維持する。
【００６３】
このようにして制御装置３１は最上段の棚装置４の棚センサ４２が検出する棚温度に基づき、全段の棚装置４の電気ヒータの通電をＯＮ−ＯＦＦして棚板２２上の商品を加温制御する。ここで、ステップＳ２０で連続ＯＮ時間が設定時間に達している場合にはステップＳ２５に進んで積算時間をクリアし、ステップＳ２３に進んで電気ヒータへの通電を停止する。また、このような全段制御によれば、何れか（例えば最上段）棚装置４の棚センサ４２及び棚上部センサ４４のみ設けておけば加温制御可能となるので、コストの削減が図れ、特に、小型のショーケースの場合に有利である。
【００６４】
尚、上記では最上段の棚装置４の棚センサ４２で全段の棚装置４の電気ヒータを制御したが、設定スイッチを切り換えることにより、制御装置３１は棚センサ４２に代えて、棚上部センサ４４が検出する棚装置４の上方の陳列室１１内の空気温度である棚上部温度と前記加温用温度設定値に基づいて、図４の制御を行う。棚上部温度は開口からの外気侵入の影響を受けやすいので、係る棚上部温度に基づいて電気ヒータを制御すれば、外乱を考慮した的確な加温制御が可能となる。ここで、図４において各センサ４２、４４が異常な場合はステップＳ２４に進み、加温運転を停止する。
【００６５】
（２）加温制御・個別制御
一方、図３のステップＳ２で個別制御が設定されている場合には、ステップＳ４で個別制御のサブルーチンを実行する。図５のフローチャートはこの個別制御のサブルーチンを示している。加温制御における個別制御では、各段の棚装置４の棚センサ４２及び当該棚装置４上方の棚上部センサ４４により、当該棚装置４の電気ヒータの通電をＯＮ−ＯＦＦ制御する。
【００６６】
尚、図５におけるステップＳ１０〜ステップＳ２５の制御は図４におけるものと同様であるので説明を省略する。但し、これらの制御は各段の棚装置４の棚センサ４２や棚上部センサ４４に基づき、当該棚装置４の電気ヒータに対して実行されることになる。それによってより精密な加温制御が可能となる。
【００６７】
更に、この場合はステップＳ１２で棚センサ４２が異常であったとき、ステップＳ２６に進み、表示基板３３、３４の設定に基づいてセンサ変更が設定されていないときはステップＳ２８に進み、センサ異常の警報出力（ブザーやＬＥＤ）を実行してステップＳ２４に進み、加温運転を停止する。
【００６８】
一方、センサ変更が設定されている場合にはステップＳ２６からステップＳ２７に進み、同様の警報出力を行うのに加えて温調用のセンサを棚センサ４２から棚上部センサ４４に自動的に変更してステップＳ１３に進む。これにより、当該棚装置４の加温制御は棚上部センサ４４が検出する棚装置４上方の陳列室１１内空気の温度である棚上部温度と前記加温用温度設定値に基づいて実行されるようになり、前述同様に外乱を考慮した加温制御が実行されることになる。ここで、図５において棚上部センサ４４が異常な場合はステップＳ１３からステップＳ２９に進んで同様の警報出力を実行した後、ステップＳ２４に進んで加温運転を停止する。
【００６９】
（３）加温用温度設定値の補正
図６は上記の如き全段・個別の加温制御における加温用温度設定値の変更に関するフローチャートを示している。加温用温度設定値の変更は設定スイッチにより自動か手動かに切り換えられる。そして、手動に設定されているときは制御装置３１はステップＳ３０からステップＳ３１に進み、マニュアル変更モードとして加温用温度設定値を初期値のままとする。一方、自動に設定されているときは、ステップＳ３２に進み、オート変更モードとする。
【００７０】
図７はこのオート変更モードのフローチャートを示している。制御装置３１はステップＳ３３で棚スイッチがＯＮしているか否か判断し、ＯＮしていればステップＳ３４に進んで棚上部センサ４４が異常か否か判断し、異常の場合にはステップＳ４１でモードをマニュアル変更モードに強制的に戻して前述同様の警報出力を行う。異常でない場合にはステップＳ３５で棚上部温度の測定が０回目か否か判断し、０回目であればステップＳ４２に進んで加温用温度設定値の初期値を読み込み、ステップＳ４３で加温用温度設定値の変更遅延タイマによる遅延時間（ＸＸ分）が経過しているか否か判断し、経過していなければステップＳ４７に進んで遅延タイマをカウントアップする。
【００７１】
ステップＳ４３で遅延タイマによる遅延時間が経過している場合、制御装置３１はステップＳ４４に進んで遅延タイマをクリアし、棚上部センサ４４による棚上部温度の測定を開始（ｎ回目）する。次に、ステップＳ３５からはステップＳ３６に進み、棚上部温度の測定時間（所定時間：ＸＸ分）が経過したか否か判断し、経過していなければステップＳ４５に進んで温度計測タイマをカウントアップし、且つ、棚上部温度の平均値を計算する。
【００７２】
ステップＳ３６で棚上部温度の測定時間の所定時間が経過したら、ステップＳ３７に進み、温度計測タイマをクリアすると共に、ステップＳ４５で計算していた棚上部温度の所定時間当たりに平均値のデータを読み込む。そして、ｎ回目の棚上部温度測定を終了し、ｎ＋１回目の温度測定を開始する。
【００７３】
次に、制御装置３１はステップＳ３８で温度差計算を行う。この温度差計算では、棚センサ４２が検出する棚装置４（棚板２２）の温度である棚温度と、棚上部センサ４４が検出する棚装置４上方の陳列室１１内の空気温度である棚上部温度とに基づき、「棚温度−棚上部温度」の計算式で算出される。そして、棚温度が棚上部温度より高い場合はステップＳ３９に進み、後述する温度差警報を判定する。温度差警報判定で警報出力が必要と判断された場合にはステップＳ４０に進み、後述する警報出力を行う。また、温度差警報不要と判定された場合にはステップＳ４６に進み、変更値設定サブルーチンを実行して加温用温度設定値を所定値低下（設定温度ダウン）させる。これによって、棚装置４の異常温度上昇による商品の必要以上の加温を防止する。
【００７４】
一方、棚温度が棚上部温度より低い場合はステップＳ４８に進み、後述する温度差警報を判定する。温度差警報判定で警報出力が必要と判定された場合にはステップＳ４９に進み、後述する警報出力を行う。また、温度警報不要と判定された場合にはステップＳ５０に進み、変更値設定サブルーチンを実行して加温用温度設定値を所定値上昇（設定温度アップ）させる。これによって、より強力に棚装置４の棚板２２を加熱し、商品の温度を上昇させる。このようにして、棚上部温度を加味して加温用温度設定値を変更し、外乱の影響を排除して棚装置４上の商品を的確に加温する。
【００７５】
尚、制御装置３１は棚上部センサ４４が検出する棚上部温度が加温用温度設定値に達した場合、棚センサ４２の出力に拘わらず電気ヒータの通電を断つ。これにより、何らかの原因で棚上部温度が先に加温用温度設定値に達した場合に電気ヒータへの通電を断ち、それ以上の無用な加熱を防止することができるようになる。
【００７６】
また、上記実施例では棚上部センサ４４に基づいて加温用温度設定値を変更したが、設定スイッチによる切換により、制御装置３１は外気温センサ４５が検出する外気温度に基づいて加温用温度設定値を変更する。その場合は、図７のフローチャートの棚上部温度の代わりに外気温度の所定時間当たりの平均値で加温用温度設定値を変更し、また、警報出力を行うことになる。このように、外気温センサ４５が検出する外気温度に基づき、加温用温度設定値を変更して電気ヒータの通電を制御することによっても、外気温度による影響を排除して棚装置４上の商品を的確に加温することができるようになる。
【００７７】
（４）冷却制御
次に、設定スイッチで冷却制御が設定されている場合、図３のステップＳ１からステップＳ５に進み、陳列室１１全体を冷却して使用するか、前述の如く冷蔵領域と温蔵領域を構成した冷／温同時使用かを判断する。前記ダンパー部材が背面ダクト９を塞がず、或いは、棚ダクト部材５を外して陳列室１１全体を冷却して使用する設定が成されている場合には、制御装置３１はステップＳ６に進んで冷却制御のサブルーチンを実行する。
【００７８】
この冷却制御のサブルーチンでは、制御装置３１は庫内センサ４１が検出する陳列室１１内の温度である庫内温度と冷却用温度設定値に基づき、冷却装置のコンプレッサと送風機１９の運転を制御し、陳列室１１内を平均として冷却用温度設定値に冷却維持する。
【００７９】
（５）冷／温制御
設定スイッチで冷／温同時使用が設定され、棚ダクト部材５が何れかの棚装置４に取り付けられてダンパー部材が背面ダクト９を塞いでいる場合は、制御装置３１はステップＳ７で冷／温同時使用のサブルーチンを実行する。このサブルーチンでは、棚ダクト部材５が取り付けられた棚装置４より下の陳列室１１内は前述した冷却制御が、また、当該棚装置４以上の陳列室１１内は前述した加温制御が同一の制御装置３１によって実行されることになる。
【００８０】
（６）吸込口温度による冷却用温度設定値の補正
図８は吸込口温度に基づいた冷却用温度設定値の補正に関するフローチャートを示している。制御装置３１はステップＳ５１で現在ショーケース１が冷却器１５の除霜中か否か判断し、除霜中でない場合にはステップＳ５２に進んで吸込口センサ４３が異常か否か判断する。そして、吸込口センサ４３が異常の場合はステップＳ６０に進んで吸込口センサ異常の警報出力（前述同様）を行う。吸込口センサ４３が異常でない場合には、ステップＳ５３に進んで今度は庫内センサ４１が異常か否か判断する。そして、庫内センサ４１が異常の場合はステップＳ６１に進んで庫内センサ異常の警報出力（前述同様）を行う。
【００８１】
庫内センサ４１が異常でない場合はステップＳ５４で吸込口温度の測定が０回目か否か判断し、０回目であればステップＳ６２に進んで冷却用温度設定値の初期値を読み込み、ステップＳ６３で冷却用温度設定値の変更遅延タイマによる遅延時間（ＸＸ分）が経過しているか否か判断し、経過していなければステップＳ６５に進んで遅延タイマをカウントアップする。
【００８２】
ステップＳ６３で遅延タイマによる遅延時間が経過している場合、制御装置３１はステップＳ６４に進んで遅延タイマをクリアし、吸込口センサ４３による吸込口温度の測定を開始（ｎ回目）する。次に、ステップＳ５４からはステップＳ５５に進み、吸込口温度の測定時間（所定時間：ＸＸ分）が経過したか否か判断し、経過していなければステップＳ６６に進んで吸込口温度計測タイマをカウントアップし、且つ、吸込口温度の平均値を計算する。
【００８３】
ステップＳ５５で吸込口温度の測定時間の所定時間が経過したら、ステップＳ５６に進み、吸込口温度計測タイマをクリアすると共に、ステップＳ６６で計算していた吸込口温度の所定時間当たりに平均値のデータを読み込む。そして、ｎ回目の吸込口温度測定を終了し、ｎ＋１回目の温度測定を開始する。
【００８４】
次に、制御装置３１はステップＳ５７で温度差計算を行う。この温度差計算では、庫内センサ４１が検出する庫内温度と、吸込口センサ４３が検出する吸込口温度とに基づき、「吸込口温度−庫内温度」の計算式で算出される。そして、庫内温度が吸込口温度より高い場合はステップＳ５８に進み、後述する温度差警報を判定する。温度差警報判定で警報出力が必要と判断された場合にはステップＳ６８に進み、後述する警報出力を行う。また、温度差警報不要と判定された場合にはステップＳ５９に進み、冷却用温度設定値を所定値上昇（設定温度シフトアップ）させると共に、送風機１９の回転数を低下させて送風量を低下させる。吸込口温度が低い場合には陳列室１１内が不必要に冷却されていることが考えられ、冷却用温度設定値を上げ、送風機１９の回転数を低下させることで冷却能力を低下させる。
【００８５】
一方、庫内温度が吸込口温度より低い場合はステップＳ６７に進み、後述する温度差警報を判定する。温度差警報判定で警報出力が必要と判定された場合にはステップＳ６９に進み、後述する警報出力を行う。また、温度警報不要と判定された場合にはステップＳ７０に進み、庫内温度が所定の上限温度（ＸＸ℃）以上か否か判断し、上限温度未満であればステップＳ７１に進み、冷却用温度設定値を所定値低下（設定温度シフトダウン）させると共に、送風機１９の回転数を上昇させて送風量を増加させる。吸込口温度が高い場合には冷気エアーカーテンが乱れて外気侵入が増大していることが考えられ、冷却用温度設定値を下げ、送風機１９の回転数を増大させることで冷気エアーカーテンの乱れを補正し、冷却能力を確保する。
【００８６】
ステップＳ７０で庫内温度が上限温度以上の場合、ステップＳ７２に進んで急冷モードに移行する。この急冷モードでは、制御装置３１は例えば所定時間（ＸＸ分）冷却装置のコンプレッサを連続運転し、及び／又は、送風機１９を最高回転数として陳列室１１内を急速に冷却する。棚装置４に比較的温度の高い商品が補充された場合等には庫内温度が急激に上昇するが、制御装置３１は庫内温度が所定の上限温度以上に上昇した場合、係る急冷モードを実行して異常温度上昇を回避する。
【００８７】
尚、上記実施例では庫内温度によって急冷モードに移行したが、設定スイッチによる設定に基づき、制御装置３１は庫内温度によらず、ステップＳ７０では棚センサ４２が検出する棚温度に基づき、棚温度が所定の上限温度に上昇した場合に急冷モードに移行する。これにより、商品の補充による温度上昇を最初に検出できる棚センサ４２を用いて陳列室１１内の温度上昇を予知し、迅速に急冷を実行できるようになる。
【００８８】
（７）棚上部温度による冷却用温度設定値の補正
次に、図９は棚上部温度に基づいた冷却用温度設定値の補正に関するフローチャートを示している。制御装置３１は設定スイッチによる設定に基づき、上記吸込口温度によらず、或る棚上部センサ４４（例えば、最上段の棚装置４に対応する棚上部センサ）が検出する棚上部温度に基づいて冷却用温度設定値の補正、送風機制御並びに警報出力を実行する。図９のステップＳ８１〜ステップＳ１０２までの制御は、図８のステップＳ５１〜ステップＳ７２までの制御における吸込口センサ・吸込口温度を棚上部センサ・棚上部温度に置き換えたものであるので、詳細は省略する。
【００８９】
棚上部センサ４４が検出する棚上部温度によって冷却用温度設定値の補正などを行えば、実際に商品が存在する棚上方の陳列室内空気温度によって冷気エアーカーテン風量及び陳列室１１内への風量の制御を行い、外乱の影響を抑制することができるようになる。また、外乱によって実際に商品が存在する棚上方の陳列室内空気温度が異常となっている場合に、警報出力でこれを報知することができるようになる。
【００９０】
（８）温度差警報判定
次に、図１０は前述した温度差警報判定のフローチャートを示している。制御装置３１はステップＳ１０３で冷却制御中か加温制御中かを判断し（冷／温同時制御では冷蔵領域と温蔵領域のそれぞれで行われる）、加温制御中の場合にはステップＳ１０４に進んで棚上部センサ４４、棚センサ４２により棚上部温度と棚温度を入力し、「棚温度−棚上部温度」の計算式で差を算出する。そして、ステップＳ１０５で加温時警報判定を行う。
【００９１】
この加温時警報判定で制御装置３１は、例えば棚温度が棚上部温度より所定値以上高い場合、及び、所定値以上低い場合、警報要と判定し、差が所定値より小さい場合には警報不要と判定する。警報要の場合、制御装置３１はステップＳ１０６に進み、警報遅延時間が経過したか判断して経過していなければステップＳ１０８で遅延時間タイマをカウントアップする。そして、所定の警報遅延時間が経過したら、ステップＳ１０７に進み、遅延時間タイマをクリアして前述した加温制御における温度差警報を出力する。
【００９２】
ステップＳ１０３で冷却制御中の場合にはステップＳ１０９に進んで吸込口センサ４３、庫内センサ４１により吸込口温度と庫内温度を入力し、「庫内温度−吸込口温度」の計算式で差を算出する。そして、ステップＳ１１１で冷却時警報判定を行う。
【００９３】
この冷却時警報判定で制御装置３１は、例えば吸込口温度が庫内温度より所定値以上高い場合、及び、所定値以上低い場合、警報要と判定し、差が所定値より小さい場合には警報不要と判定する。警報要の場合、制御装置３１はステップＳ１１２に進み、警報遅延時間が経過したか判断して経過していなければステップＳ１１５で遅延時間タイマをカウントアップする。そして、所定の警報遅延時間が経過したら、ステップＳ１１３に進み、遅延時間タイマをクリアして前述した冷却制御における温度差警報を出力する。
【００９４】
そして、ステップＳ１１４に進み、現在冷／温同時制御中か否か判断し、冷／温同時制御中のときはステップＳ１０４に進んで温蔵領域に対し、上述したステップＳ１０４〜ステップＳ１０８の加温時の温度差警報判定を実行する。
【図面の簡単な説明】
【００９５】
【図１】本発明を適用したショーケースの側面図である。
【図２】図１のショーケースの制御装置のブロック図である。
【図３】図２の制御装置のモード判定に関するフローチャートである。
【図４】図２の制御装置の加温制御における全段制御のフローチャートである。
【図５】図２の制御装置の加温制御における個別制御のフローチャートである。
【図６】図２の制御装置の全段・個別の加温制御における加温用温度設定値の変更に関するフローチャートである。
【図７】図２の制御装置の加温用温度設定値の補正に関するフローチャートである。
【図８】図２の制御装置の吸込口温度による冷却用温度設定値の補正に関するフローチャートである。
【図９】図２の制御装置の棚上部温度による冷却用温度設定値の補正に関するフローチャートである。
【図１０】図２の制御装置の温度差警報判定に関するフローチャートである。
【符号の説明】
【００９６】
１  ショーケース
３  断熱壁
４  棚装置
５  棚ダクト部材
６  背面パネル
９  背面ダクト
１１  陳列室
１５  冷却器
１６  上部冷気吐出口
１９  送風機
２２  棚板
２７  棚下冷気吐出口
３１  制御装置
４１  庫内センサ
４２  棚センサ
４３  吸込口センサ
４４  棚上部センサ
４５  外気温センサ
【図１】
2006010099.tif 000003
【図２】
2006010099.tif 000004
【図３】
2006010099.tif 000005
【図４】
2006010099.tif 000006
【図５】
2006010099.tif 000007
【図６】
2006010099.tif 000008
【図７】
2006010099.tif 000009
【図８】
2006010099.tif 000010
【図９】
2006010099.tif 000011
【図１０】
2006010099.tif 000012